(57)【要約】【課題】引き違い扉とケーブルワイヤーとの係合関係が不用意に外れることがなく、引き違い扉を外したいときはケーブルワイヤーと引き違い扉との係合関係を簡単に外すことができる寿司ネタ冷蔵ショーケースを提供する。【解決手段】内部を透視可能にし、ワークサイドに引き違い扉２０を設け、上記引き違い扉２０が通るレール１８内に制御モーターにより駆動するケーブルワイヤー１５を、中間シーブ、エンドシーブを介して掛け渡し、上記ケーブルワイヤー１５と引き違い扉２０とを、緩衝部材（スプリング１７）を介して係合してなる寿司ネタ冷蔵ショーケース１０において、引き違い扉２０のケーブルワイヤー１５との係合部分にピン孔１９を穿設し、引っ掛け部材１６に設けたピン２１を上記ピン孔１９に嵌め、上記引っ掛け部材１６を介して引き違い扉２０とケーブルワイヤー１５とを係合させた構成としたものである。【選択図】図１
2006334266.tif 000002
【特許請求の範囲】
【請求項１】
内部を透視可能にし、ワークサイドに引き違い扉（２０）を設け、上記引き違い扉（２０）が通るレール（１８）内に制御モーター（１１）により駆動するケーブルワイヤー（１５）を、シーブ（１３，１４）を介して掛け渡し、上記ケーブルワイヤー（１５）と引き違い扉（２０）とを、緩衝部材（１７）を介して係合してなる寿司ネタ冷蔵ショーケース（１０）において、引き違い扉（２０）のケーブルワイヤー（１５）との係合部分にピン孔（１９）を穿設し、引っ掛け部材（１６）に設けたピン（２１）を上記ピン孔（１９）に嵌め、上記引っ掛け部材（１６）を介して引き違い扉（２０）とケーブルワイヤー（１５）とを係合させてなることを特徴とする寿司ネタ冷蔵ショーケース。
【請求項２】
引き違い扉（２０）のケーブルワイヤー（１５）との係合部を凸形（２２）に形成し、この凸形（２２）部分にピン孔（１９）を穿設してなることを特徴とする請求項１に記載の寿司ネタ冷蔵ショーケース。
【請求項３】
上記引っ掛け部材（１６）のピン（２１）は、引き違い扉（２０）の背面から挿入されてなることを特徴とする請求項１または２に記載の寿司ネタ冷蔵ショーケース。
【発明の詳細な説明】
【技術分野】
【０００１】
この発明は、寿司ネタ冷蔵ショーケースであって、寿司ネタを出し入れするための扉が自動開閉する寿司ネタ冷蔵ショーケースに関する。
【背景技術】
【０００２】
本出願人は特願２００３-３６３２４９号で「冷蔵ショーケース」を提案した。
【０００３】
上記提案の冷蔵ショーケースは、「内部を透視可能にし、ワークサイドに引き違い扉を設けた冷蔵ショーケースにおいて、上記引き違い扉が通るレール内に制御モーターで駆動されるケーブルワイヤーを、シーブを介して掛け渡し、上記ケーブルワイヤーと引き違い扉とを緩衝部材を介在した係合手段により係合してなり、その係合構造は、引き違い扉の上縁に凹部を設け、この凹部に凸部を設けた部材を嵌り込む」ようにしたものである。
【０００４】
上記構造では、例えばケーブルワイヤーが何らかの衝撃で揺動すると凹部と凸部との係合関係が外れて制御モーターにより開閉されなくなってしまう問題がある。このような問題が発生しないようにするためにケーブルワイヤーを引き違い扉に直結すると、ケーブルワイヤーの存在によりレールから外すことが出来なくなる。
【発明の開示】
【発明が解決しようとする課題】
【０００５】
上記問題に鑑みこの発明は、引き違い扉とケーブルワイヤーとの係合関係が不用意に外れることがなく、引き違い扉を外したいときはケーブルワイヤーと引き違い扉との係合関係を簡単に外すことができる寿司ネタ冷蔵ショーケースを提供することを課題とする。
【課題を解決するための手段】
【０００６】
上記課題を解決するためにこの発明は、内部を透視可能にし、ワークサイドに引き違い扉２０を設け、上記引き違い扉２０が通るレール１８内に制御モーター１１により駆動するケーブルワイヤー１５を、シーブ１３，１４を介して掛け渡し、上記ケーブルワイヤー１５と引き違い扉２０とを、緩衝部材（スプリング１７）を介して係合してなる寿司ネタ冷蔵ショーケース１０において、引き違い扉２０のケーブルワイヤー１５との係合部分にピン孔１９を穿設し、引っ掛け部材１６に設けたピン２１を上記ピン孔１９に嵌め、上記引っ掛け部材１６を介して引き違い扉２０とケーブルワイヤー１５とを係合させた構成としたものである。
【発明の効果】
【０００７】
上記の如く構成するこの発明によれば、引き違い扉と制御モーターにより駆動されるケーブルワイヤーとの係合関係が、引き違い扉に穿設されたピン孔に引っ掛け部材のピンがレール内で嵌りあうので不用意に外れることがなく、寿司ネタ冷蔵ショーケースの洗浄あるいは保守・保全のため引き違い扉を外したいときは簡単に外すことができる。
【０００８】
また、引き違い扉のケーブルワイヤーとの係合部を凸形に形成し、この凸形部分にピン孔を穿設し、上記引っ掛け部材のピンは、引き違い扉の背面から挿入するようにすると、引き違い扉のレールへの着脱が一層容易になる。
【発明を実施するための最良の形態】
【０００９】
次にこの発明の実施の形態を、図面を参照しながら説明する。図４は本発明を採用した寿司ネタ冷蔵ショーケースの正面図、図５はその平面図で、寿司ネタ冷蔵ショーケース１０の左端には制御モーター１１のプーリー１２と中間シーブ１３と張力調整機能を持つエンドシーブ１４を介してケーブルワイヤー１５がループを成して掛け渡され、このケーブルワイヤー１５の下側途中には引っ掛け部材１６がスプリング１７を介して装着されている。
【００１０】
一方、寿司ネタ冷蔵ショーケース１０のレール１８には引き違い扉２０が左右に摺動可能にして嵌められ、この引き違い扉２０の上縁には上記引っ掛け部材１６がスプリング１７を介して係合している。
【００１１】
引き違い扉２０とケーブルワイヤー１５とは、引き違い扉２０にピン孔１９を穿設し、一方、ケーブルワイヤー１５にはスプリング１７を介して引っ掛け部材１６が装着され、引っ掛け部材１６に設けたピン２１が引き違い扉２０に穿設したピン孔１９に嵌って係合している。
【００１２】
引き違い扉２０のピン孔１９を穿設する部分は、その部分に凸形２２を形成し、その部分にピン孔１９を穿設して引っ掛け部材１６のピン２１を嵌め易くしているが、図３の如く凸形を形成しないで引っ掛け部材１６のピン２１を嵌め込むようにしてもよい。
【００１３】
また、図１（ａ）では、引っ掛け部材１６のピン２１が引き違い扉２０の前面から嵌められているが、図２のように引っ掛け部材１６のピン２１が引き違い扉２０の背面から嵌めるようにすることができる。図２のように引き違い扉２０の背面から嵌めるようにすると引き違い扉２０を外す側に引っ掛け部材１６が存在しないので外し易くなる効果が得られる。
【産業上の利用可能性】
【００１４】
以上説明した通りこの発明によれば、引き違い扉が開閉動作の衝撃で不用意にケーブルワイヤーとの結合（係合）状態が外れることがなく、内部の清掃・保全等で引き違い扉を外す必要が生じたときは簡単に外すことが可能である。従って、寿司ネタ冷蔵ショーケースの保守・保全、衛生管理が行き届くようになり該当する業界での利用価値が高い。
【図面の簡単な説明】
【００１５】
【図１】（ａ）本発明の要部拡大断面図、（ｂ）同引き違い扉とケーブルワイヤーとの係合部の説明図
【図２】引っ掛け部材と引き違い扉との係合状態説明図
【図３】引き違い扉とケーブルワイヤーの他の係合状態説明図
【図４】寿司ネタ冷蔵ショーケースの正面図
【図５】同一部切り欠き平面図
【符号の説明】
【００１６】
１０  寿司ネタ冷蔵ショーケース
１１  制御モーター
１２  プーリー
１３  中間シーブ
１４  エンドシーブ
１５  ケーブルワイヤー
１６  引っ掛け部材
１７  スプリング（緩衝部材）
１８  レール
１９  ピン孔
２０  引き違い扉
２１  ピン
２２  凸形
【図１】
2006334266.tif 000003
【図２】
2006334266.tif 000004
【図３】
2006334266.tif 000005
【図４】
2006334266.tif 000006
【図５】
2006334266.tif 000007